(57)【要約】【課題】給水管の長さを短くするとともに、タービン建屋のフロア面積の増大を抑制する。【解決手段】給水加熱システムは、第１の給水流路を流れる給水を加熱する第１の給水加熱器、第２の給水加熱器および第３の給水加熱器と、第２の給水流路を流れる給水を加熱する第４の給水加熱器、第５の給水加熱器および第６の給水加熱器と、を備えている。各給水加熱器は、建屋内の同一のフロア面に、各々の長手方向が第１方向に沿うように配置されている。第１の給水加熱器および第２の給水加熱器、第４の給水加熱器および第５の給水加熱器、第３の給水加熱器および第６の給水加熱器は、それぞれフロア面における第１方向と直交する第２方向に並んで配置されている。第３の給水加熱器は、第２方向において第１の給水加熱器と第２の給水加熱器との間に配置されている。【選択図】図２
2020125895.tif 000002
【特許請求の範囲】
【請求項１】
タービンが設置される建屋内に配置された、復水器からの給水を加熱する給水加熱システムであって、
前記復水器からの給水が流れる第１の給水流路と、
前記復水器からの給水が流れる、前記第１の給水流路と異なる第２の給水流路と、
前記第１の給水流路を流れる給水を加熱する第１の給水加熱器、第２の給水加熱器および第３の給水加熱器と、
前記第２の給水流路を流れる給水を加熱する第４の給水加熱器、第５の給水加熱器および第６の給水加熱器と、を備え、
前記第１の給水加熱器、前記第２の給水加熱器、前記第３の給水加熱器、前記第４の給水加熱器、前記第５の給水加熱器および前記第６の給水加熱器は、前記建屋内の同一のフロア面に、各々の長手方向が前記タービンの軸方向に沿う第１方向に沿うように配置され、
前記第１の給水加熱器および前記第２の給水加熱器は、前記フロア面における前記第１方向と直交する第２方向に並んで配置され、
前記第４の給水加熱器および前記第５の給水加熱器は、前記第１方向において前記第１の給水加熱器および前記第２の給水加熱器と異なる位置で、前記第２方向に並んで配置され、
前記第３の給水加熱器および前記第６の給水加熱器は、前記第１方向において前記第１の給水加熱器と前記第４の給水加熱器との間でかつ前記第２の給水加熱器と前記第５の給水加熱器との間の位置で、前記第２方向に並んで配置され、
前記第３の給水加熱器は、前記第２方向において前記第１の給水加熱器と前記第２の給水加熱器との間に配置されている、給水加熱システム。
【請求項２】
前記第１の給水加熱器の水室部および前記第２の給水加熱器の水室部は、前記第１方向において前記第３の給水加熱器の側に配置され、
前記第３の給水加熱器の水室部は、前記第１方向において前記第１の給水加熱器および前記第２の給水加熱器の側に配置されている、請求項１に記載の給水加熱システム。
【請求項３】
前記第３の給水加熱器は、前記第２方向において前記第４の給水加熱器と前記第５の給水加熱器との間に配置されている、請求項１または２に記載の給水加熱システム。
【請求項４】
前記第１方向における前記第３の給水加熱器の水室部の側とは反対側に、当該第３の給水加熱器の引き抜きスペースが設けられ、
前記第３の給水加熱器の引き抜きスペースの少なくとも一部は、前記第４の給水加熱器と前記第５の給水加熱器との間に配置されている、請求項１〜３のいずれか一項に記載の給水加熱システム。
【請求項５】
前記第１の給水加熱器は、前記第１の給水流路において前記第２の給水加熱器および前記第３の給水加熱器の上流側に配置され、
前記第１の給水加熱器は、前記第２方向において前記第２の給水加熱器および前記第３の給水加熱器よりも前記復水器の側に配置されている、請求項１〜４のいずれか一項に記載の給水加熱システム。
【請求項６】
前記第３の給水加熱器は、前記第１の給水流路において前記第１の給水加熱器および前記第２の給水加熱器の下流側に配置されている、請求項１〜５のいずれか一項に記載の給水加熱システム。
【請求項７】
前記第４の給水加熱器の水室部および前記第５の給水加熱器の水室部は、前記第１方向において前記第６の給水加熱器の側に配置され、
前記第６の給水加熱器の水室部は、前記第１方向において前記第４の給水加熱器および前記第５の給水加熱器の側に配置されている、請求項１〜６のいずれか一項に記載の給水加熱システム。
【請求項８】
前記第６の給水加熱器は、前記第２方向において前記第１の給水加熱器および前記第２の給水加熱器よりも前記復水器の側とは反対側に配置されている、請求項１〜７のいずれか一項に記載の給水加熱システム。
【請求項９】
前記第１方向における前記第６の給水加熱器の水室部の側とは反対側に、当該第６の給水加熱器の引き抜きスペースが設けられ、
前記第６の給水加熱器の引き抜きスペースは、前記第２方向において前記第１の給水加熱器および前記第２の給水加熱器よりも前記復水器の側とは反対側に配置されている、請求項１〜８のいずれか一項に記載の給水加熱システム。
【請求項１０】
前記第４の給水加熱器は、前記第２の給水流路において前記第５の給水加熱器および前記第６の給水加熱器の上流側に配置され、
前記第４の給水加熱器は、前記第２方向において前記第５の給水加熱器および前記第６の給水加熱器よりも前記復水器の側に配置されている、請求項１〜９のいずれか一項に記載の給水加熱システム。
【請求項１１】
前記第６の給水加熱器は、前記第２の給水流路において前記第４の給水加熱器および前記第５の給水加熱器の下流側に配置され、
前記第６の給水加熱器は、前記第２方向において前記第４の給水加熱器および前記第５の給水加熱器よりも前記復水器の側とは反対側に配置されている、請求項１〜１０のいずれか一項に記載の給水加熱システム。
【請求項１２】
請求項１〜１１のいずれか一項に記載の前記給水加熱システムと、
前記給水加熱システムにより加熱された給水を加熱して、蒸気を生成するボイラと、
前記ボイラにより生成された前記蒸気が供給されることによって回転するタービン軸を有する前記タービンと、
前記タービン軸の回転により発電を行う発電機と、
前記タービンからの前記蒸気を凝縮して復水にする前記復水器と、
前記復水器の前記復水を給水として前記給水加熱システムに供給する給水ポンプと、を備えた発電プラント。
【発明の詳細な説明】
【技術分野】
【０００１】
本発明の実施の形態は、給水加熱システムおよび発電プラントに関する。
【背景技術】
【０００２】
発電プラントにおいて、蒸気タービンから排出された蒸気は、復水器で凝縮されて復水になり、給水ポンプによって給水として給水管を流れてボイラに供給される。給水管を流れる給水は、ボイラに供給される前に、給水加熱システムで加熱される。
【０００３】
給水加熱システムは、互いに並列に設けられた複数の系列（例えば２系列）を備えている場合がある。この場合、各系列には、複数段（例えば３段）の給水加熱器が設けられている。また、これらの給水加熱器が、タービンが設置されたタービン建屋内の同一のフロア面に配置される場合がある。一般に、タービン建屋は、タービンの軸方向の寸法が長くなるような形状を有しており、各給水加熱器は、細長状に形成されていることから、各給水加熱器は、各々の長手方向がタービンの軸方向に沿うように配置される。
【０００４】
ところで、給水管には、給水ポンプで昇圧された高圧の給水が流れるため、給水管は、厚肉に形成されている。このため、給水管の重量は大きくなり、給水管の据付には、多くの作業工数を要する。給水管の長さが長くなると、給水管の据付作業が増え、作業工数が更に増大する。このことにより、プラントの建設コストが増大する。
【０００５】
しかしながら、上述したような複数の給水加熱器の配置によっては、各給水加熱器に接続される給水管の長さが長くなってしまうおそれがある。一方、各給水加熱器の配置によっては、タービン建屋のフロア面積が増大してしまうおそれもある。
【先行技術文献】
【特許文献】
【０００６】
【特許文献１】特開昭５７−１２７７０４号公報
【発明の概要】
【発明が解決しようとする課題】
【０００７】
本発明は、このような点を考慮してなされたものであり、給水管の長さを短くするとともに、タービン建屋のフロア面積の増大を抑制することができる給水加熱システムおよび発電プラントを提供することを目的とする。
【課題を解決するための手段】
【０００８】
実施の形態による給水加熱システムは、タービンが設置される建屋内に配置された、復水器からの給水を加熱する給水加熱システムである。給水加熱システムは、復水器からの給水が流れる第１の給水流路と、復水器からの給水が流れる、第１の給水流路と異なる第２の給水流路と、第１の給水流路を流れる給水を加熱する第１の給水加熱器、第２の給水加熱器および第３の給水加熱器と、第２の給水流路を流れる給水を加熱する第４の給水加熱器、第５の給水加熱器および第６の給水加熱器と、を備えている。第１の給水加熱器、第２の給水加熱器、第３の給水加熱器、第４の給水加熱器、第５の給水加熱器および第６の給水加熱器は、建屋内の同一のフロア面に、各々の長手方向がタービンの軸方向に沿う第１方向に沿うように配置されている。第１の給水加熱器および第２の給水加熱器は、フロア面における第１方向と直交する第２方向に並んで配置されている。第４の給水加熱器および第５の給水加熱器は、第１方向において第１の給水加熱器および第２の給水加熱器と異なる位置で、第２方向に並んで配置されている。第３の給水加熱器および第６の給水加熱器は、第１方向において第１の給水加熱器と第４の給水加熱器との間でかつ第２の給水加熱器と第５の給水加熱器との間の位置で、第２方向に並んで配置されている。第３の給水加熱器は、第２方向において第１の給水加熱器と第２の給水加熱器との間に配置されている。
【０００９】
また、実施の形態による発電プラントは、上述した給水加熱システムと、給水加熱システムにより加熱された給水を加熱して、蒸気を生成するボイラと、ボイラにより生成された蒸気が供給されることによって回転するタービン軸を有するタービンと、タービン軸の回転により発電を行う発電機と、タービンからの蒸気を凝縮して復水にする復水器と、復水器の復水を給水として給水加熱システムに供給する給水ポンプと、を備えている。
【発明の効果】
【００１０】
本発明によれば、給水管の長さを短くするとともに、タービン建屋のフロア面積の増大を抑制することができる。
【図面の簡単な説明】
【００１１】
【図１】図１は、本実施の形態による発電プラントの一例を示す系統図である。
【図２】図２は、図１の各給水加熱器の配置を示す図であって、各給水加熱器が配置されたタービン建屋内のフロア面を示す平面図である。
【図３】図３は、図２の給水加熱器を示す模式図である。
【図４】図４は、図３の給水加熱器の胴体部が引き抜かれた状態を示す模式図である。
【図５】図５は、図２の比較例を示す図であって、各給水加熱器の配置例を示す図である。
【発明を実施するための形態】
【００１２】
以下、図面を参照して本発明の実施の形態による給水加熱システムおよび発電プラントについて説明する。
【００１３】
まず、図１を参照して、本実施の形態による発電プラントについて説明する。
【００１４】
図１に示すように、発電プラント１は、ボイラ２と、蒸気タービン３と、発電機４と、復水器５と、給水ポンプ６ａ、６ｂと、給水管７と、低圧給水加熱器８と、脱気器９と、高圧給水加熱器２１〜２６を有する給水加熱システム２０と、を備えている。
【００１５】
ボイラ２は、主蒸気を生成し、後述する高圧タービン３ａに供給するように構成されている。また、ボイラ２は、高圧タービン３ａから排出された主蒸気を再熱し、再熱蒸気として後述する中圧タービン３ｂに供給するように構成されている。
【００１６】
蒸気タービン３は、高圧タービン３ａと、中圧タービン３ｂと、低圧タービン３ｃと、を有している。高圧タービン３ａは、ボイラ２で生成された主蒸気によって駆動される。中圧タービン３ｂは、ボイラ２で生成された再熱蒸気によって駆動される。低圧タービン３ｃは、中圧タービン３ｂから排出された蒸気が供給されて駆動される。高圧タービン３ａ、中圧タービン３ｂおよび低圧タービン３ｃが駆動されると、タービン軸３ｄが回転し、発電機４が駆動されて、発電機４による発電が行われる。
【００１７】
復水器５は、低圧タービン３ｃから排出された蒸気を冷却し、凝縮して復水にするように構成されている。
【００１８】
給水ポンプ６ａは、復水器５の復水を加圧して、給水として給水管７に供給するように構成されている。
【００１９】
給水管７は、復水器５からボイラ２まで給水が流れるように構成されている。給水管７を流れる給水は、低圧給水加熱器８、脱気器９および給水加熱システム２０で加熱されて、ボイラ２に供給される。
【００２０】
低圧給水加熱器８には、低圧タービン３ｃの低圧側の抽気口から抽気管１０に抽出された抽気蒸気が供給される。低圧給水加熱器８は、この抽気蒸気と給水管７を流れる給水とを熱交換させることで、給水を加熱する。給水と熱交換した抽気蒸気は、回収管１１を通って復水器５に回収される。
【００２１】
脱気器９には、中圧タービン３ｂの低圧側の抽気口から抽気管１２ａに抽出された抽気蒸気が供給される。脱気器９は、この抽気蒸気と低圧給水加熱器８で加熱された給水とを熱交換させることで、給水を更に加熱し、給水に含まれる気体を除去する。
【００２２】
給水ポンプ６ｂは、脱気器９で加熱された給水を加圧して、給水加熱システム２０に供給するように構成されている。
【００２３】
次に、本実施の形態による給水加熱システム２０について説明する。
【００２４】
給水加熱システム２０は、第１の給水流路１５と、第１の給水流路１５と異なる第２の給水流路１６と、を備えている。第１の給水流路１５に、第１の高圧給水加熱器２１（第１の給水加熱器２１）、第２の高圧給水加熱器２２（第２の給水加熱器２２）および第３の高圧給水加熱器２３（第３の給水加熱器２３）が配置されている。第２の給水流路１６に、第４の高圧給水加熱器２４（第４の給水加熱器２４）、第５の高圧給水加熱器２５（第５の給水加熱器２５）および第６の高圧給水加熱器２６（第６の給水加熱器２６）が配置されている。
【００２５】
給水管７は、給水ポンプ６ｂの下流側において、第１の給水流路１５と第２の給水流路１６とに分岐している。給水ポンプ６ｂで加圧された給水は、第１の給水流路１５と第２の給水流路１６とに分流し、並列に流れるように構成されている。
【００２６】
第１の給水流路１５において、第１の給水加熱器２１は、第２の給水加熱器２２および第３の給水加熱器２３の上流側に配置されている。言い換えると、第１の給水加熱器２１の下流側に、第２の給水加熱器２２および第３の給水加熱器２３が配置されている。また、第２の給水加熱器２２の下流側に、第３の給水加熱器２３が配置されている。
【００２７】
第１の給水加熱器２１、第２の給水加熱器２２および第３の給水加熱器２３は、第１の給水流路１５を流れる給水を加熱する。すなわち、第１〜第３の給水加熱器２１〜２３は、中圧タービン３ｂの高圧側の抽気口から抽気管１２ｂに抽出された抽気蒸気で給水を加熱する。抽気蒸気は、まず、第３の給水加熱器２３に供給され、第３の給水加熱器２３から排出されると、回収管１３ａを通って第２の給水加熱器２２に供給される。そして、第２の給水加熱器２２から排出されると、回収管１３ｂを通って第１の給水加熱器２１に供給される。このようにして、給水は、第１の給水加熱器２１において比較的温度が低い抽気蒸気で加熱される。そして、給水は、第２の給水加熱器２２においては、第１の給水加熱器２１よりも温度が高い抽気蒸気で加熱され、第３の給水加熱器２３においては、第２の給水加熱器２２よりも温度が高い抽気蒸気で加熱される。第１の給水加熱器２１において給水と熱交換した抽気蒸気は、回収管１３ｃを通って脱気器９に回収される。
【００２８】
第２の給水流路１６において、第４の給水加熱器２４は、第５の給水加熱器２５および第６の給水加熱器２６の上流側に配置されている。言い換えると、第４の給水加熱器２４の下流側に、第５の給水加熱器２５および第６の給水加熱器２６が配置されている。また、第５の給水加熱器２５の下流側に、第６の給水加熱器２６が配置されている。
【００２９】
第４の給水加熱器２４、第５の給水加熱器２５および第６の給水加熱器２６は、第２の給水流路１６を流れる給水を加熱する。すなわち、第４〜第６の給水加熱器２４〜２６は、中圧タービン３ｂの高圧側の抽気口から抽気管１２ｃに抽出された抽気蒸気で給水を加熱する。抽気蒸気は、まず、第６の給水加熱器２６に供給され、第６の給水加熱器２６から排出されると、回収管１４ａを通って第５の給水加熱器２５に供給される。そして、第５の給水加熱器２５から排出されると、回収管１４ｂを通って第４の給水加熱器２４に供給される。このようにして、給水は、第４の給水加熱器２４において比較的温度が低い抽気蒸気で加熱される。そして、給水は、第５の給水加熱器２５においては、第４の給水加熱器２４よりも温度が高い抽気蒸気で加熱され、第６の給水加熱器２６においては、第５の給水加熱器２５よりも温度が高い抽気蒸気で加熱される。第４の給水加熱器２４において給水と熱交換した抽気蒸気は、回収管１４ｃを通って脱気器９に回収される。
【００３０】
第１の給水流路１５および第２の給水流路１６は、第３の給水加熱器２３および第６の給水加熱器２６の下流側で合流している。第３の給水加熱器２３で加熱された給水および第６の給水加熱器２６で加熱された給水は、合流して、ボイラ２に供給されるように構成されている。
【００３１】
このように、本実施の形態による発電プラント１は、復水器５からの給水を、ボイラ２に戻す前に、蒸気タービン３の抽気蒸気を用いて加熱することで、エネルギー効率の良い発電システムを実現している。また、復水器５からの給水を２系列に分け、各系列で給水加熱器による加熱を行うことで、例えば一方の系列の給水加熱器が停止した時であっても、他方の系列を用いて継続的に運転することを可能にしている。
【００３２】
次に、図２を参照して、本実施の形態による給水加熱システム２０における各給水加熱器２１〜２６の配置について説明する。
【００３３】
蒸気タービン３（タービン）が設置されるタービン建屋３０（建屋）は、複数のフロア面を有している。図２に示すように、所定階のフロア面３１（同一のフロア面３１）に、各給水加熱器２１〜２６が配置されている。フロア面３１は、蒸気タービン３の軸方向の寸法が長くなるような形状を有している。各給水加熱器２１〜２６は、上述したように細長状に形成されており、各々の長手方向Ｌが蒸気タービン３の軸方向に沿う第１方向（図２におけるＸ方向）に沿うように配置されている。なお、蒸気タービン３の下方（図２における紙面奥側）には、復水器５が配置されている。
【００３４】
図２に示すように、第１の給水加熱器２１および第２の給水加熱器２２は、フロア面３１におけるＸ方向と直交する第２方向（図２におけるＹ方向）に並んで配置されている。このうち第１の給水加熱器２１は、Ｙ方向において第２の給水加熱器２２よりも復水器５の側（図２における下側）に配置されている。第１の給水加熱器２１および第２の給水加熱器２２は、Ｙ方向で見たときに、少なくとも部分的に互いに重なるように配置されている。図２においては、第１の給水加熱器２１および第２の給水加熱器２２は、Ｙ方向で見たときに、実質的には全体的に重なっている。しかしながら、第１の給水加熱器２１および第２の給水加熱器２２は、部分的に重なっていなくてもよい。
【００３５】
第４の給水加熱器２４および第５の給水加熱器２５は、Ｘ方向において第１の給水加熱器２１および第２の給水加熱器２２と異なる位置に配置されている。図２に示す形態では、Ｘ方向において、第４の給水加熱器２４および第５の給水加熱器２５は、第１の給水加熱器２１および第２の給水加熱器２２と離間している。また、第４の給水加熱器２４および第５の給水加熱器２５は、Ｙ方向に並んで配置されている。第４の給水加熱器２４は、Ｙ方向において第５の給水加熱器２５よりも復水器５の側（図２における下側）に配置されている。第４の給水加熱器２４は、Ｙ方向において第１の給水加熱器２１とほぼ同じ位置に配置されている。第５の給水加熱器２５は、Ｙ方向において第２の給水加熱器２２とほぼ同じ位置に配置されている。また、第４の給水加熱器２４および第５の給水加熱器２５は、Ｙ方向で見たときに、少なくとも部分的に互いに重なるように配置されている。図２においては、第４の給水加熱器２４および第５の給水加熱器２５は、Ｙ方向で見たときに、実質的には全体的に重なっている。しかしながら、第４の給水加熱器２４および第５の給水加熱器２５は、部分的に重なっていなくてもよい。
【００３６】
第３の給水加熱器２３および第６の給水加熱器２６は、Ｘ方向において第１の給水加熱器２１と第４の給水加熱器２４との間でかつ第２の給水加熱器２２と第５の給水加熱器２５との間の位置に配置されている。図２に示す形態では、Ｘ方向において、第３の給水加熱器２３および第６の給水加熱器２６は、第１の給水加熱器２１および第２の給水加熱器２２と離間しているとともに、第４の給水加熱器２４および第５の給水加熱器２５と離間している。また、第３の給水加熱器２３および第６の給水加熱器２６は、Ｙ方向に並んで配置されている。第３の給水加熱器２３は、Ｙ方向において第６の給水加熱器２６よりも復水器５の側（図２における下側）に配置されている。第３の給水加熱器２３は、Ｙ方向において、第１の給水加熱器２１と第２の給水加熱器２２との間に配置されるとともに、第４の給水加熱器２４と第５の給水加熱器２５との間に配置されている。第６の給水加熱器２６は、Ｙ方向において第２の給水加熱器２２および第５の給水加熱器２５よりも復水器５の側とは反対側（図２における上側）に配置されている。
【００３７】
また、第３の給水加熱器２３および第６の給水加熱器２６は、Ｙ方向で見たときに、少なくとも部分的に互いに重なるように配置されている。図２においては、後述するように、第３の給水加熱器２３の長さが、第６の給水加熱器２６の長さよりも短くなっている。このため、第３の給水加熱器２３および第６の給水加熱器２６は、Ｙ方向で見たときに、第３の給水加熱器２３の全体と第６の給水加熱器２６の一部とが重なっている。しかしながら、第３の給水加熱器２３の一部が第６の給水加熱器２６と重なっていなくてもよい。また、第３の給水加熱器２３の長さと第６の給水加熱器２６の長さが実質的に等しい場合には、第３の給水加熱器２３および第６の給水加熱器２６が実質的には全体的に重なっていてもよい。
【００３８】
このように、各給水加熱器２１〜２６は、いわゆる千鳥状に配置されている。
【００３９】
なお、第１の給水加熱器２１と第２の給水加熱器２２との間に、作業者が通行するためのメンテナンス通路が設けられていてもよい。また、第４の給水加熱器２４と第５の給水加熱器２５との間にも、メンテナンス通路が設けられていてもよい。また、第３の給水加熱器２３と第６の給水加熱器２６との間にも、メンテナンス通路が設けられていてもよい。これらのメンテナンス通路の幅（Ｙ方向における幅）は、例えば０．８ｍ〜３．０ｍ程度としてもよい。
【００４０】
また、第１の給水加熱器２１と第３の給水加熱器２３との間、および第２の給水加熱器２２と第３の給水加熱器２３との間にも、メンテナンス通路が設けられていてもよい。また、第２の給水加熱器２２と第６の給水加熱器２６との間にも、メンテナンス通路が設けられていてもよい。また、第４の給水加熱器２４と第３の給水加熱器２３との間、および第５の給水加熱器２５と第３の給水加熱器２３との間にも、メンテナンス通路が設けられていてもよい。また、第５の給水加熱器２５と第６の給水加熱器２６との間にも、メンテナンス通路が設けられていてもよい。これらのメンテナンス通路の幅（Ｘ方向における幅）は、例えば０．４ｍ〜１．５ｍ程度としてもよい。
【００４１】
更に、第１の給水加熱器２１の水室部２１ａ（後述）および第２の給水加熱器２２の水室部２２ａ（後述）は、Ｘ方向において第３の給水加熱器２３の側（図２における左側）に配置されている。第３の給水加熱器２３の水室部２３ａ（後述）は、Ｘ方向において第１の給水加熱器２１および第２の給水加熱器２２の側（図２における右側）に配置されている。このように、第１の給水流路１５に配置された第１〜第３の給水加熱器２１〜２３の水室部２１ａ〜２３ａは、Ｘ方向において互いに向かい合うように配置されている。
【００４２】
また、第４の給水加熱器２４の水室部２４ａ（後述）および第５の給水加熱器２５の水室部２５ａ（後述）は、Ｘ方向において第６の給水加熱器２６の側（図２における右側）に配置されている。第６の給水加熱器２６の水室部２６ａ（後述）は、Ｘ方向において第４の給水加熱器２４および第５の給水加熱器２５の側（図２における左側）に配置されている。このように、第２の給水流路１６に配置された第４〜第６の給水加熱器２４〜２６の水室部２４ａ〜２６ａは、Ｘ方向において互いに向かい合うように配置されている。
【００４３】
ここで、図３および図４を用いて、本実施の形態による給水加熱器２１〜２６の構成について説明する。給水加熱器２１〜２６は、長さの点で相違するが、基本構成は同様であるため、以下では、代表例として、第１の給水加熱器２１の構成について説明する。
【００４４】
図３は、一例としての第１の給水加熱器２１の構成を示している。図３に示すように、第１の給水加熱器２１は、細長状に形成されており、全体として長手方向Ｌに延びた形状を有している。第１の給水加熱器２１は、長手方向Ｌにおける一側に設けられた半球状の水室部２１ａと、他側に設けられた円筒状の胴体部２１ｂと、を有している。水室部２１ａの内部空間と胴体部２１ｂの内部空間とは、隔壁２１ｃによって仕切られている。
【００４５】
水室部２１ａの内部空間は、隔壁２１ｄによって入口室２１ｅと出口室２１ｆとに仕切られている。入口室２１ｅには、給水入口座２１ｇが設けられている。出口室２１ｆには、給水出口座２１ｈが設けられている。
【００４６】
胴体部２１ｂには、蒸気入口座２１ｉと蒸気出口座２１ｊとが設けられている。蒸気入口座２１ｉは、回収管１３ｂと接続されている。蒸気出口座２１ｊは、回収管１３ｃと接続されている。胴体部２１ｂの内部には、Ｕ字状の伝熱管２１ｋが設けられている。伝熱管２１ｋの一端は、水室部２１ａの入口室２１ｅと接続され、伝熱管２１ｋの他端は、水室部２１ａの出口室２１ｆと接続されている。
【００４７】
第１の給水加熱器２１に達した給水は、給水入口座２１ｇから流入し、伝熱管２１ｋ内を流れる。一方、蒸気タービン３からの抽気蒸気は、蒸気入口座２１ｉから流入し、胴体部２１ｂ内を流れる。このことにより、伝熱管２１ｋ内を流れる給水が胴体部２１ｂ内であって伝熱管２１ｋの周囲を流れる抽気蒸気と熱交換され、給水が加熱される。加熱された給水は、伝熱管２１ｋから出口室２１ｆに流入し、給水出口座２１ｈから流出する。給水と熱交換した抽気蒸気は、蒸気出口座２１ｊから流出する。
【００４８】
このようにして、第１の給水加熱器２１は、給水を蒸気タービン３の抽気蒸気を用いて加熱するように構成されている。
【００４９】
上述した伝熱管２１ｋは、第１の給水加熱器２１の稼働中の破断等を防止するため、定期的にメンテナンスが行われる。このため、第１の給水加熱器２１の胴体部２１ｂは、水室部２１ａに対してスライド移動可能に構成されており、図４に示すように、水室部２１ａから引き抜くことができるように構成されている。これにより、伝熱管２１ｋを外部に対して露出させることができ、伝熱管２１ｋの点検、修理、交換等のメンテナンスを容易に行うことできるようになっている。
【００５０】
なお、各給水加熱器２１〜２６の長手方向Ｌにおける長さはそれぞれ異なっていてもよい。例えば、図２に示すように、第１の給水流路１５において下流側に配置された第３の給水加熱器２３の長さは、その上流側に配置された第１の給水加熱器２１および第２の給水加熱器２２の長さよりも短くてもよい。また、第２の給水流路１６において下流側に配置された第６の給水加熱器２６の長さは、その上流側に配置された第４の給水加熱器２４および第５の給水加熱器２５の長さよりも短くてもよい。また、図２に示すように、第３の給水加熱器２３の長さは、第６の給水加熱器２６の長さよりも短くてもよいが、第３の給水加熱器２３の長さと第６の給水加熱器２６の長さの大小関係は任意である。
【００５１】
タービン建屋３０内のフロア面３１においては、図２に示すように、Ｘ方向における各給水加熱器２１〜２６の水室部２１ａ〜２６ａの側とは反対側に、メンテナンス時に各給水加熱器２１〜２６の胴体部２１ｂ〜２６ｂを引き抜くことができるように、引き抜きスペース２１ｎ〜２６ｎ（メンテナンススペース）が設けられている。引き抜きスペース２１ｎ〜２６ｎは、Ｘ方向において、給水加熱器２１〜２６の胴体部２１ｂ〜２６ｂと同程度の長さ、例えば５．０ｍ〜１５．０ｍ程度の長さを有している。
【００５２】
引き抜きスペース２１ｎ〜２６ｎは、各給水加熱器２１〜２６と干渉しないように配置されている。図２においては、第１の給水加熱器２１の引き抜きスペース２１ｎおよび第２の給水加熱器２２の引き抜きスペース２２ｎは、第３の給水加熱器２３の側とは反対側（図２における右側）に配置されている。また、第４の給水加熱器２４の引き抜きスペース２４ｎおよび第５の給水加熱器２５の引き抜きスペース２５ｎは、第６の給水加熱器２６の側とは反対側（図２における左側）に配置されている。
【００５３】
また、第３の給水加熱器２３の引き抜きスペース２３ｎは、第１の給水加熱器２１および第２の給水加熱器２２の側とは反対側（図２における左側）に配置されている。また、第３の給水加熱器２３の引き抜きスペース２３ｎの少なくとも一部は、第４の給水加熱器２４と第５の給水加熱器２５との間に配置されている。すなわち、第３の給水加熱器２３の引き抜きスペース２３ｎは、Ｙ方向で見たときに、第４の給水加熱器２４および第５の給水加熱器２５と少なくとも部分的に重なっている。図２においては、Ｙ方向で見たときに、第３の給水加熱器２３の引き抜きスペース２３ｎの一部が、第４の給水加熱器２４および第５の給水加熱器２５と重なっている。しかしながら、第３の給水加熱器２３の引き抜きスペース２３ｎの全体が、第４の給水加熱器２４および第５の給水加熱器２５と重なっていてもよい。
【００５４】
また、第６の給水加熱器２６の引き抜きスペース２６ｎは、第４の給水加熱器２４および第５の給水加熱器２５の側とは反対側（図２における右側）に配置されている。第６の給水加熱器２６の少なくとも一部は、Ｙ方向で見たときに、第１の給水加熱器２１および第２の給水加熱器２２と少なくとも部分的に重なっている。図２においては、Ｙ方向で見たときに、第６の給水加熱器２６の引き抜きスペース２６ｎの一部が、第１の給水加熱器２１および第２の給水加熱器２２と重なっている。しかしながら、第６の給水加熱器２６の引き抜きスペース２６ｎの全体が、第１の給水加熱器２１および第２の給水加熱器２２と重なっていてもよい。
【００５５】
次に、給水管７の構成についてより詳細に説明する。
【００５６】
図２に示すように、第１の給水流路１５は、給水管部分７ａと、給水管部分７ｂと、給水管部分７ｃと、給水管部分７ｄと、を含んでいる。給水管部分７ａは、給水ポンプ６ｂの側（復水器５の側）に設けられた給水管７の部分であって、第１の給水加熱器２１の水室部２１ａに接続されている。給水管部分７ｂは、第１の給水加熱器２１の水室部２１ａと第２の給水加熱器２２の水室部２２ａとに接続されている。給水管部分７ｃは、第２の給水加熱器２２の水室部２２ａと第３の給水加熱器２３の水室部２３ａとに接続されている。給水管部分７ｄは、ボイラ２の側に設けられた給水管７の部分であって、第３の給水加熱器２３の水室部２３ａに接続されている。
【００５７】
同様に、第２の給水流路１６は、給水管部分７ｅと、給水管部分７ｆと、給水管部分７ｇと、給水管部分７ｈと、を含んでいる。給水管部分７ｅは、給水ポンプ６ｂの側（復水器５の側）に設けられた給水管７の部分であって、第４の給水加熱器２４の水室部２４ａに接続されている。給水管部分７ｆは、第４の給水加熱器２４の水室部２４ａと第５の給水加熱器２５の水室部２５ａとに接続されている。給水管部分７ｇは、第５の給水加熱器２５の水室部２５ａと第６の給水加熱器２６の水室部２６ａとに接続されている。給水管部分７ｈは、ボイラ２の側に設けられた給水管７の部分であって、第６の給水加熱器２６の水室部２６ａに接続されている。
【００５８】
次に、このような構成からなる本実施の形態の作用効果について説明する。
【００５９】
発電プラント１が稼働すると、ボイラ２で主蒸気が生成される。主蒸気は、高圧タービン３ａに供給されて、仕事を行い、タービン軸３ｄを回転駆動させる。仕事を行った主蒸気は、高圧タービン３ａから排出されてボイラ２に供給され、ボイラ２で再熱されて再熱蒸気となる。再熱蒸気は、中圧タービン３ｂに供給されて、仕事を行い、タービン軸３ｄを回転駆動させる。中圧タービン３ｂから排出された蒸気は、低圧タービン３ｃに供給されて、仕事を行い、タービン軸３ｄを回転駆動させる。タービン軸３ｄが回転駆動されると、発電機４が駆動され、発電機４による発電が行われる。
【００６０】
低圧タービン３ｃから排出された蒸気は、復水器５で冷却され、凝縮されて復水になる。復水は、給水ポンプ６ａにより加圧されて、給水として給水管７を流れる。給水管７を流れる給水は、低圧給水加熱器８、脱気器９および給水加熱システム２０で加熱されて、ボイラ２に供給される。
【００６１】
給水は、まず、低圧給水加熱器８において、低圧タービン３ｃから抽出された抽気蒸気と熱交換されて、加熱される。次に、給水は、脱気器９において、中圧タービン３ｂの抽気蒸気と熱交換されて、更に加熱され、給水に含まれる気体が除去される。続いて、給水は、給水ポンプ６ｂにより加圧されて、給水加熱システム２０に供給される。
【００６２】
次に、給水加熱システム２０における給水の流れについて説明する。
【００６３】
給水加熱システム２０に供給された給水は、第１の給水流路１５と第２の給水流路１６とに分流される。
【００６４】
第１の給水流路１５を流れる給水は、第１の給水加熱器２１、第２の給水加熱器２２および第３の給水加熱器２３において、中圧タービン３ｂから抽出された抽気蒸気と熱交換され、加熱される。より具体的には、第１の給水流路１５に流入した給水は、まず、給水管部分７ａを通って、第１の給水加熱器２１の水室部２１ａ内に流入する。水室部２１ａ内に流入した給水は、伝熱管２１ｋ内を流れて、中圧タービン３ｂから抽出された抽気蒸気と熱交換して加熱され、水室部２１ａから流出する。水室部２１ａから流出した給水は、給水管部分７ｂを通って、第２の給水加熱器２２の水室部２２ａ内に流入する。水室部２２ａ内に流入した給水は、第１の給水加熱器２１と同様にして更に加熱され、水室部２２ａから流出する。水室部２２ａから流出した給水は、給水管部分７ｃを通って、第３の給水加熱器２３の水室部２３ａ内に流入する。水室部２３ａ内に流入した給水は、第１の給水加熱器２１と同様にして更に加熱され、水室部２３ａから流出する。水室部２３ａから流出した給水は、給水管部分７ｄを通って、その下流側で第２の給水流路１６を流れた給水と合流し、ボイラ２に供給される。
【００６５】
一方、第２の給水流路１６を流れる給水は、第４の給水加熱器２４、第５の給水加熱器２５および第６の給水加熱器２６において、中圧タービン３ｂから抽出された抽気蒸気と熱交換され、加熱される。より具体的には、第２の給水流路１６に流入した給水は、まず、給水管部分７ｅを通って、第４の給水加熱器２４の水室部２４ａ内に流入する。水室部２４ａ内に流入した給水は、第１の給水加熱器２１と同様にして、中圧タービン３ｂから抽出された抽気蒸気と熱交換して加熱され、水室部２４ａから流出する。水室部２４ａから流出した給水は、給水管部分７ｆを通って、第５の給水加熱器２５の水室部２５ａ内に流入する。水室部２５ａ内に流入した給水は、第１の給水加熱器２１と同様にして更に加熱され、水室部２５ａから流出する。水室部２５ａから流出した給水は、給水管部分７ｇを通って、第６の給水加熱器２６の水室部２６ａ内に流入する。水室部２６ａ内に流入した給水は、第１の給水加熱器２１と同様にして更に加熱され、水室部２６ａから流出する。水室部２６ａから流出した給水は、給水管部分７ｈを通って、その下流側で第１の給水流路１５を流れた給水と合流し、ボイラ２に供給される。
【００６６】
ここで、本実施の形態による各給水加熱器２１〜２６の配置の効果について説明する。ここでは、比較例として、図５に示すように、各給水加熱器２１〜２６の一般的な配置例を用いて説明する。
【００６７】
図５に示す比較例では、図２と同様、各給水加熱器２１〜２６は、タービン建屋３０内の同一のフロア面３１に配置されており、各給水加熱器２１〜２６は、各々の長手方向ＬがＸ方向に沿うように配置されている。
【００６８】
一方、図２に示す本実施の形態とは異なり、第１の給水加熱器２１、第２の給水加熱器２２および第３の給水加熱器２３は、Ｘ方向に並んで配置されている。より具体的には、Ｘ方向において、第１の給水加熱器２１と第２の給水加熱器２２とが離間し、それらの間に、第３の給水加熱器２３が配置されている。同様に、第４の給水加熱器２４、第５の給水加熱器２５および第６の給水加熱器２６も、Ｘ方向に並んで配置されており、Ｘ方向において、第４の給水加熱器２４と第５の給水加熱器２５とが離間し、それらの間に、第６の給水加熱器２６が配置されている。しかしながら、第４の給水加熱器２４、第５の給水加熱器２５および第６の給水加熱器２６は、Ｙ方向において第１の給水加熱器２１、第２の給水加熱器２２および第３の給水加熱器２３と異なる位置に配置されている。図５においては、第１の給水加熱器２１、第２の給水加熱器２２および第３の給水加熱器２３は、第４の給水加熱器２４、第５の給水加熱器２５および第６の給水加熱器２６よりも復水器５の側（図５における下側）に配置されている。
【００６９】
更に、第１の給水加熱器２１の水室部２１ａは、Ｘ方向において第２の給水加熱器２２および第３の給水加熱器２３の側（図５における左側）に配置されている。第２の給水加熱器２２の水室部２２ａは、Ｘ方向において第１の給水加熱器２１および第３の給水加熱器２３の側（図５における右側）に配置されている。一方、第３の給水加熱器２３の水室部２３ａは、Ｘ方向において第２の給水加熱器２２の側（図５における左側）に配置されている。
【００７０】
同様に、第４の給水加熱器２４の水室部２４ａは、Ｘ方向において第５の給水加熱器２５および第６の給水加熱器２６の側（図５における左側）に配置されている。第５の給水加熱器２５の水室部２５ａは、Ｘ方向において第４の給水加熱器２４および第６の給水加熱器２６の側（図５における右側）に配置されている。一方、第６の給水加熱器２６の水室部２６ａは、Ｘ方向において第５の給水加熱器２５の側（図５における左側）に配置されている。
【００７１】
また、タービン建屋３０内のフロア面３１において、Ｘ方向における各給水加熱器２１〜２６の水室部２１ａ〜２６ａの側とは反対側に、引き抜きスペース２１ｎ〜２６ｎが、設けられている。
【００７２】
図２に示す本実施の形態では、図５の比較例と比較すると、総じて各給水加熱器２１〜２６間の給水管７の長さを短くすることができるとともに、タービン建屋３０のフロア面積の増大を抑制することができる。
【００７３】
例えば、図２に示す本実施の形態では、第１の給水加熱器２１と第２の給水加熱器２２とがＹ方向に並んでいる。このため、図５に示す比較例のように、第１の給水加熱器２１と第２の給水加熱器２２とがＸ方向に並んでいる場合に比べて、第１の給水加熱器２１と第２の給水加熱器２２とに接続される給水管部分７ｂの長さを短くすることができる。すなわち、給水加熱器は、長手方向Ｌに延びた形状を有している。このため、給水加熱器２１〜２６の各々の長手方向ＬがＸ方向に沿うように配置されている場合、第１の給水加熱器２１と第２の給水加熱器２２をＸ方向に並べるよりも、Ｙ方向に並べる方が、第１の給水加熱器２１の水室部２１ａと第２の給水加熱器２２の水室部２２ａとを近づけることができる。こうして、第１の給水加熱器２１と第２の給水加熱器２２とに接続される給水管部分７ｂの長さを短くすることができる。第４の給水加熱器２４と第５の給水加熱器２５についても同様である。
【００７４】
また、図２に示す本実施の形態では、第３の給水加熱器２３が、Ｘ方向において第１の給水加熱器２１と第４の給水加熱器２４との間（または第２の給水加熱器２２第５の給水加熱器２５との間）に配置されるとともに、Ｙ方向において第１の給水加熱器２１と第２の給水加熱器２２との間に配置されている。このため、第１の給水加熱器２１、第２の給水加熱器２２および第３の給水加熱器２３がＹ方向に並んでいる場合に比べて、フロア面３１のＹ方向寸法を低減することができ、タービン建屋３０のフロア面積の増大を抑制することができる。
【００７５】
また、図２に示す本実施の形態では、第１の給水加熱器２１の水室部２１ａおよび第２の給水加熱器２２の水室部２２ａが、Ｘ方向において第３の給水加熱器２３の側に配置されている。このため、第１の給水加熱器２１と第２の給水加熱器２２とに接続される給水管部分７ｂの長さを短くすることができる。また、第３の給水加熱器２３の水室部２３ａは、Ｘ方向において第１の給水加熱器２１および第２の給水加熱器２２の側に配置されている。このため、第２の給水加熱器２２と第３の給水加熱器２３とに接続される給水管部分７ｃの長さを短くすることができる。第４〜第６の給水加熱器２４〜２６についても同様である。
【００７６】
更に、図２に示す本実施の形態では、第３の給水加熱器２３の引き抜きスペース２３ｎの一部が、第４の給水加熱器２４と第５の給水加熱器２５との間に配置されている。このことにより、Ｘ方向において第１の給水加熱器２１（または第２の給水加熱器２２）と第４の給水加熱器２４（または第５の給水加熱器２５）との間の間隔を小さくすることができる。このため、図５に示す比較例のように、Ｘ方向において第１の給水加熱器２１、第２の給水加熱器２２および第３の給水加熱器２３が並んで配置されている場合に比べて、フロア面３１のＸ方向寸法を低減することができ、タービン建屋３０のフロア面積の増大を抑制することができる。
【００７７】
同様に、第６の給水加熱器２６の引き抜きスペース２６ｎが、Ｙ方向において第２の給水加熱器２２（または第１の給水加熱器２１）よりも復水器５の側とは反対側に配置されている。このことにより、Ｘ方向において第２の給水加熱器２２（または第１の給水加熱器２１）と第５の給水加熱器２５（または第４の給水加熱器２４）との間の間隔を小さくすることができる。このため、図５に示す比較例のように、Ｘ方向において第４の給水加熱器２４、第５の給水加熱器２５および第６の給水加熱器２６が並んで配置されている場合に比べて、フロア面３１のＸ方向寸法を低減することができ、タービン建屋３０のフロア面積の増大を抑制することができる。
【００７８】
このように、本実施の形態は、図５の比較例と比較して、各給水加熱器２１〜２６間の給水管７の長さを短くすることができるとともに、タービン建屋３０のフロア面積の増大を抑制することができる。
【００７９】
このように本実施の形態によれば、第１の給水加熱器２１および第２の給水加熱器２２が、Ｙ方向に並んで配置されているとともに、第３の給水加熱器２３が、Ｘ方向において第１の給水加熱器２１と第４の給水加熱器２４との間（または第２の給水加熱器２２と第５の給水加熱器２５との間）であって、Ｙ方向において第１の給水加熱器２１と第２の給水加熱器２２との間に配置されている。このため、第１の給水加熱器２１と第２の給水加熱器２２とに接続される給水管部分７ｂの長さを短くすることができる。このことにより、給水管７の長さを短くすることができ、タービン建屋３０内における給水管７の重量を低減し、給水管７の据付時の作業工数を低減することができる。この結果、プラントの建設コストを低減することができる。更には、給水管７の長さを短くすることにより、給水管７内を流れる給水の圧力損失を低減することができ、エネルギー効率を向上させ、プラントの性能を向上させることもできる。また、このような配置により、タービン建屋３０のフロア面積の増大を抑制することができる。
【００８０】
また、本実施の形態によれば、第１の給水加熱器２１の水室部２１ａおよび第２の給水加熱器２２の水室部２２ａが、Ｘ方向において第３の給水加熱器２３の側に配置されているとともに、第３の給水加熱器２３の水室部２３ａが、Ｘ方向において第１の給水加熱器２１（または第２の給水加熱器２２）の側に配置されている。このため、第１の給水加熱器２１と第２の給水加熱器２２とに接続される給水管部分７ｂの長さ、および第２の給水加熱器２２と第３の給水加熱器２３とに接続される給水管部分７ｃの長さを短くすることができる。
【００８１】
また、本実施の形態によれば、第３の給水加熱器２３は、Ｙ方向において第４の給水加熱器２４と第５の給水加熱器２５との間に配置されている。このことにより、Ｘ方向において第１の給水加熱器２１（または第２の給水加熱器２２）と第４の給水加熱器２４（または第５の給水加熱器２５）との間の間隔を小さくすることができる。このため、フロア面３１のＸ方向寸法を低減することができ、タービン建屋３０のフロア面積の増大を抑制することができる。
【００８２】
また、本実施の形態によれば、第３の給水加熱器２３の引き抜きスペース２３ｎの少なくとも一部は、第４の給水加熱器２４と第５の給水加熱器２５との間に配置されている。このことにより、Ｘ方向において第１の給水加熱器２１（または第２の給水加熱器２２）と第４の給水加熱器２４（または第５の給水加熱器２５）との間の間隔を更に小さくすることができる。このため、フロア面３１のＸ方向寸法を更に低減することができ、タービン建屋３０のフロア面積の増大をより一層抑制することができる。
【００８３】
また、本実施の形態によれば、第１の給水流路１５において上流側に配置される第１の給水加熱器２１は、Ｙ方向において第２の給水加熱器２２および第３の給水加熱器２３よりも復水器５の側に配置されている。このため、第１の給水加熱器２１に接続される、給水ポンプ６ｂの側（復水器５の側）に設けられた給水管部分７ａの長さを短くすることができる。
【００８４】
また、本実施の形態によれば、第３の給水加熱器２３は、第１の給水流路１５において第１の給水加熱器２１および第２の給水加熱器２２の下流側に配置されている。このことにより、下流側に配置された第３の給水加熱器２３の長さが、第１の給水加熱器２１および第２の給水加熱器２２の長さよりも短い場合、Ｘ方向において第１の給水加熱器２１（または第２の給水加熱器２２）と第４の給水加熱器２４（または第５の給水加熱器２５）との間の間隔を小さくすることができる。このため、フロア面３１のＸ方向寸法を更に低減することができ、タービン建屋３０のフロア面積の増大をより一層抑制することができる。
【００８５】
また、本実施の形態によれば、第４の給水加熱器２４の水室部２４ａおよび第５の給水加熱器２５の水室部２５ａが、Ｘ方向において第６の給水加熱器２６の側に配置されているとともに、第６の給水加熱器２６の水室部２６ａが、Ｘ方向において第４の給水加熱器２４および第５の給水加熱器２５の側に配置されている。このため、第４の給水加熱器２４と第５の給水加熱器２５とに接続される給水管部分７ｆの長さ、および第５の給水加熱器２５と第６の給水加熱器２６とに接続される給水管部分７ｇの長さを短くすることができる。
【００８６】
また、本実施の形態によれば、第６の給水加熱器２６は、Ｙ方向において第１の給水加熱器２１および第２の給水加熱器２２よりも復水器５の側とは反対側に配置されている。このことにより、Ｘ方向において第２の給水加熱器２２（または第１の給水加熱器２１）と第５の給水加熱器２５（または第４の給水加熱器２４）との間の間隔を更に小さくすることができる。このため、フロア面３１のＸ方向寸法を更に低減することができ、タービン建屋３０のフロア面積の増大をより一層抑制することができる。
【００８７】
また、本実施の形態によれば、第６の給水加熱器２６の引き抜きスペース２６ｎは、Ｙ方向において第２の給水加熱器２２（または第１の給水加熱器２１）よりも復水器５の側とは反対側に配置されている。このことにより、Ｘ方向において第２の給水加熱器２２（または第１の給水加熱器２１）と第５の給水加熱器２５（または第４の給水加熱器２４）との間の間隔を更に小さくすることができる。このため、フロア面３１のＸ方向寸法を更に低減することができ、フロア面３１のＸ方向寸法を更に低減することができ、タービン建屋３０のフロア面積の増大をより一層抑制することができる。
【００８８】
また、本実施の形態によれば、第２の給水流路１６において上流側に配置される第４の給水加熱器２４は、Ｙ方向において第５の給水加熱器２５（または第６の給水加熱器２６）よりも復水器５の側に配置されている。このため、第４の給水加熱器２４に接続される、給水ポンプ６ｂの側（復水器５の側）に設けられた給水管部分７ｅの長さを短くすることができる。
【００８９】
また、本実施の形態によれば、第２の給水流路１６において下流側に配置される第６の給水加熱器２６は、Ｙ方向において第５の給水加熱器２５（または第４の給水加熱器２４）よりも復水器５の側とは反対側に配置されている。このことにより、Ｘ方向において第２の給水加熱器２２（または第１の給水加熱器２１）と第５の給水加熱器２５（または第４の給水加熱器２４）との間の間隔を更に小さくすることができる。このため、フロア面３１のＸ方向寸法を更に低減することができ、タービン建屋３０のフロア面積の増大をより一層抑制することができる。
【００９０】
なお、上述した本実施の形態では、第１の給水流路１５において、第２の給水加熱器２２が、第１の給水加熱器２１の下流側に配置され、第３の給水加熱器２３が、第２の給水加熱器２２の下流側に配置されている例を示した。しかしながら、このことに限られることはなく、例えば、第１の給水流路１５において、第２の給水加熱器２２が、第１の給水加熱器２１および第３の給水加熱器２３の下流側に配置されていてもよい。すなわち、第１の給水流路１５において、給水は、第１の給水加熱器２１、第３の給水加熱器２３、第２の給水加熱器２２の順に流れてもよい。このような場合においても、各給水加熱器２１〜２６が上述した本実施の形態のように配置されることで、給水管７の長さを短くするとともに、タービン建屋３０のフロア面積の増大を抑制することができるという本実施の形態の効果を得ることができる。
【００９１】
同様に、上述した本実施の形態では、第２の給水流路１６において、第５の給水加熱器２５が、第４の給水加熱器２４の下流側に配置され、第６の給水加熱器２６が、第５の給水加熱器２５の下流側に配置されている例を示した。しかしながら、このことに限られることはなく、例えば、第２の給水流路１６において、第５の給水加熱器２５が、第４の給水加熱器２４および第６の給水加熱器２６の下流側に配置されていてもよい。すなわち、第２の給水流路１６において、給水は、第４の給水加熱器２４、第６の給水加熱器２６、第５の給水加熱器２５の順に流れてもよい。このような場合においても、各給水加熱器２１〜２６が上述した本実施の形態のように配置されることで、給水管７の長さを短くするとともに、タービン建屋３０のフロア面積の増大を抑制することができるという本実施の形態の効果を得ることができる。
【００９２】
また、上述した本実施の形態では、給水管７が、給水ポンプ６ｂとボイラ２との間で第１の給水流路１５と第２の給水流路１６の２系列に分かれている例を示したが、３系列以上に分かれていてもよい。この場合、各系列には、３段の給水加熱器が配置されていてもよい。この場合において、これら３系列以上の系列のうちの２つの系列で、各給水加熱器２１〜２６が上述した本実施の形態のように配置されていればよく、他の系列では各給水加熱器の配置は任意にしてもよい。また、当該他の系列の給水加熱器は、タービン建屋３０内において、第１〜第６の給水加熱器２１〜２６が配置されたフロア面３１と異なるフロア面に配置されていてもよい。このような場合においても、第１〜第６の給水加熱器２１〜２６が上述した本実施の形態のように配置されることで、給水管７の長さを短くするとともに、タービン建屋３０のフロア面積の増大を抑制することができるという本実施の形態の効果を得ることができる。
【００９３】
更に、上述した本実施の形態では、各系列に３段の給水加熱器が配置されている例を示したが、各系列に４段以上の給水加熱器が配置されていてもよい。この場合において、これら４段以上の給水加熱器のうちの３段の給水加熱器が上述した本実施の形態のように配置されていればよく、他の給水加熱器の配置は任意にしてもよい。また、当該他の給水加熱器は、タービン建屋３０内において、第１〜第６の給水加熱器２１〜２６が配置されたフロア面３１と異なるフロア面に配置されていてもよい。このような場合においても、第１〜第６の給水加熱器２１〜２６が上述した本実施の形態のように配置されることで、給水管７の長さを短くするとともに、タービン建屋３０のフロア面積の増大を抑制することができるという本実施の形態の効果を得ることができる。
【００９４】
また、上述した本実施の形態において、図２で描かれている給水管７（および給水管部分７ａ〜７ｈ）の形状は一例であり、その他の任意の形状とすることができる。例えば、給水管部分７ｂは、第１の給水加熱器２１の水室部２１ａと第２の給水加熱器２２の水室部２２ａとの間でフロア面３１に沿って水平に延びるように形成されていてもよいが、水室部２１ａと水室部２２ａとの間で上下方向に屈曲していてもよい。この場合においても、上述した本実施の形態のように各給水加熱器を配置することにより、給水管部分７ｂのうち上下方向に屈曲した部分以外の部分の長さを短くすることができ、その結果、給水管部分７ｂの長さを短くすることができる。また、各給水管部分７ａ〜７ｈの一部は、当該フロア面３１と異なるフロア面に設けられていてもよく、複数のフロア面に跨って給水管部分７ａ〜７ｈが這い廻されるように形成されていてもよい。この場合においても、同様に、給水管部分７ｂの長さを短くすることができる。
【００９５】
以上述べた本実施の形態によれば、給水管の長さを短くするとともに、タービン建屋のフロア面積の増大を抑制することができる。
【００９６】
以上、本発明のいくつかの実施の形態を説明したが、これらの実施の形態は、例として提示したものであり、発明の範囲を限定することは意図していない。これらの新規な実施の形態は、その他の様々な形態で実施されることが可能であり、発明の要旨を逸脱しない範囲で、種々の省略、置き換え、変更を行うことができる。これらの実施の形態やその変形は、発明の範囲や要旨に含まれるとともに、特許請求の範囲に記載された発明とその均等の範囲に含まれる。
【符号の説明】
【００９７】
１：発電プラント、２：ボイラ、３：蒸気タービン、３ｄ：タービン軸、４：発電機、５：復水器、６ａ、６ｂ：給水ポンプ、１５：第１の給水流路、１６：第２の給水流路、２０：給水加熱システム、２１、２２、２３、２４、２５、２６：給水加熱器、２１ａ、２２ａ、２３ａ、２４ａ、２５ａ、２６ａ：水室部、２１ｎ、２２ｎ、２３ｎ、２４ｎ、２５ｎ、２６ｎ：引き抜きスペース、３０：タービン建屋、３１：フロア面
【図１】
2020125895.tif 000003
【図２】
2020125895.tif 000004
【図３】
2020125895.tif 000005
【図４】
2020125895.tif 000006
【図５】
2020125895.tif 000007